(57)【要約】【課題】帳票の種類に応じて処理時間を短縮すること。【解決手段】帳票のイメージデータを取り込むイメージ読取り部３３と、イメージ読取り部３３により読み取られた帳票のイメージデータに基づいて帳票の種別を判定する帳票種別判定手段２２と、この帳票種別判定手段２２により帳票がＭＴ帳票であると判定された場合には、イメージ読取り部３３で読み取られた帳票のイメージデータを表示部２３に表示させないでＯＣＲ認識し、この帳票種別判定手段により帳票がＭＴ帳票以外の一般帳票であると判定された場合には、イメージ読取り部３３で読み取られた帳票のイメージデータを表示部２３に表示させた後ＯＣＲ認識する認識手段２２とを有する。【選択図】    図１
2004280251.tif 000002
【特許請求の範囲】
【請求項１】
キー入力部及び表示部を備えた帳票端末装置において、
帳票のイメージデータを取り込むイメージ読取り手段と、
上記イメージ読取り手段により読み取られた帳票のイメージデータに基づいて帳票の種別を判定する帳票種別判定手段と、
この帳票種別判定手段により帳票がＭＴ帳票であると判定された場合には、上記イメージ読取り手段で読み取られた帳票のイメージデータを前記表示部に表示させないでＯＣＲ認識し、この帳票種別判定手段により帳票がＭＴ帳票以外の一般帳票であると判定された場合には、上記イメージ読取り手段で読み取られた帳票のイメージデータを前記表示部に表示させた後ＯＣＲ認識する認識手段とを具備したことを特徴とする帳票端末装置。
【請求項２】
確認キーを備えたキー入力部及び表示部を備えた帳票端末装置において、
帳票を収納する収納部と、
帳票のイメージデータを取り込むイメージ読取り手段と、
上記イメージ読取り手段により読み取られた帳票のイメージデータに基づいて帳票の種別を判定する帳票種別判定手段と、
この帳票種別判定手段により帳票がＭＴ帳票であると判定された場合には、上記イメージ読取り手段で読み取られた帳票のイメージデータを前記表示部に表示させた後ＯＣＲ認識し、一定時間経過後に、上記収納部に収納されている次の帳票のイメージデータを前記イメージ読取り手段で読み取り、この帳票種別判定手段により帳票がＭＴ帳票以外の一般帳票であると判定された場合には、上記イメージ読取り手段で読み取られた帳票の全てのイメージデータを前記表示部に表示させた後ＯＣＲ認識し、前記確認キーが操作されると上記収納部に収納されている次の帳票のイメージデータを前記イメージ読取り手段で読み取る認識手段とを具備したことを特徴とする帳票端末装置。
【請求項３】
キー入力部及び表示部を備えた帳票端末装置において、
帳票のイメージデータを取り込むイメージ読取り手段と、
上記イメージ読取り手段により読み取られた帳票のイメージデータに基づいて帳票の種別を判定する帳票種別判定手段と、
この帳票種別判定手段により帳票がＭＴ帳票であると判定された場合には、上記イメージ読取り手段で読み取られた帳票の右側半券部分のイメージデータを前記表示部に表示させないでＯＣＲ認識し、この帳票種別判定手段により帳票がＭＴ帳票以外の一般帳票であると判定された場合には、上記イメージ読取り手段で読み取られた帳票の全てのイメージデータを前記表示部に表示させた後ＯＣＲ認識する認識手段とを具備したことを特徴とする帳票端末装置。
【請求項４】
キー入力部及び表示部を備えた帳票端末装置において、
帳票のイメージデータを取り込むイメージ読取り手段と、
上記イメージ読取り手段により読み取られた帳票のイメージデータより帳票の種別を判定する帳票種別判定手段と、
この帳票種別判定手段により帳票がＭＴ帳票であると判定された場合には、上記イメージ読取り手段で読み取られた帳票の左半分の払込票部分のイメージデータのみを保存するとともに集計処理が行われるセンタに送信し、この帳票種別判定手段により帳票がＭＴ帳票以外の一般帳票であると判定された場合には、上記イメージ読取り手段で読み取られた帳票の全てのイメージデータを保存するとともに上記センタに送信する手段とを具備したことを特徴とする帳票端末装置。
【請求項５】
キー入力部及び表示部を備えた振替端末装置において、
帳票ＩＤのイメージデータを取り込む帳票ＩＤイメージ読取り手段と、
この帳票ＩＤ読取の手段により読み取られた帳票ＩＤのイメージデータに基づいて帳票ＩＤを判定する帳票ＩＤ判定手段と、
この帳票ＩＤ判定手段により帳票ＩＤがＭＴ帳票であると判定された場合には、ＭＴ帳票領域のイメージを取得してＯＣＲ認識し、この帳票ＩＤ判定手段により帳票ＩＤが一般帳票であると判定された場合には、一般帳票領域のイメージを取得してＯＣＲ認識する手段とを具備したことを特徴とする振替端末装置。
【請求項６】
前記ＭＴ帳票あるいは一般帳票の全体イメージデータの取得は後方業務において行うことを特徴とする請求項５記載の振替端末装置。
【発明の詳細な説明】
【０００１】
【発明の属する技術分野】
本発明は、郵便局、銀行等の金融機関の窓口での払込みを行う帳票端末装置に関する。
【０００２】
【従来の技術】
郵便局、銀行等の金融機関の窓口での払込みを行う帳票の種類としては、一般帳票やＭＴ帳票などがある。このような帳票の種類を容易に判別し、その帳票の種類に対応した帳票の領域から画像を切り出し、この切り出した画像から記載内容を認識するようにした帳票処理方法が知られている（特許文献１）。
【０００３】
【特許文献１】
特開２０００−２５１０１２
【０００４】
【発明が解決しようとする課題】
この特許文献１のものは、帳票の種類に応じて帳票のどの領域から画像を切り出すかを決めている。
【０００５】
しかし、この特許文献１のものでは、帳票の種類に応じて処理時間を短縮させることはできなかった。つまり、帳票の種類に応じて認識率に差が出るが、その認識率の差を利用して処理時間を短縮することはできなかった。
【０００６】
本発明は上記の点に鑑みてなされたもので、その目的は、帳票の種類に応じて処理時間を短縮することができる帳票処理装置を提供することにある。
【０００７】
【課題を解決するための手段】
本発明は、キー入力部及び表示部を備えた振替端末装置において、キー入力部及び表示部を備えた帳票端末装置において、帳票のイメージデータを取り込むイメージ読取り手段と、上記イメージ読取り手段により読み取られた帳票のイメージデータに基づいて帳票の種別を判定する帳票種別判定手段と、この帳票種別判定手段により帳票がＭＴ帳票であると判定された場合には、上記イメージ読取り手段で読み取られた帳票のイメージデータを前記表示部に表示させないでＯＣＲ認識し、この帳票種別判定手段により帳票がＭＴ帳票以外の一般帳票であると判定された場合には、上記イメージ読取り手段で読み取られた帳票のイメージデータを前記表示部に表示させた後ＯＣＲ認識する認識手段とを具備したことを特徴とする。
【０００８】
【発明の実施の形態】
以下図面を参照して本発明の一実施の形態について説明する。図１は第１乃至第６の実施の形態に共通な帳票端末装置の構成を示すブロック図である。この帳票端末装置２１は利用者が提出した払込票をスタックして払込処理を行う。
【０００９】
この帳票端末装置２１は制御部２２を有する。帳票端末装置２１は、制御部２２、表示部２３、本体２４、少なくとも確認キーを有するキー入力部２５とで構成されている。
【００１０】
制御部２２は、図４〜図１０の処理を行うプログラムが記憶されているＲＯＭ及び各種データを記憶する記憶部２２ｍを有する。
【００１１】
本体２４の側面には、払込票を複数スタック可能なホッパ３１が設けられている。このホッパ３１から１枚ずつ取り出された払込票は搬送路３２を搬送される。
【００１２】
この搬送路３２には、払込票のイメージデータを取り込む例えばスキャナで構成されるイメージ読取部３３、払込票上に印字を行う印字部３４を備えている。
【００１３】
これらイメージ読取部３３及び印字部３４は制御部２２により制御される。この制御部２２は上位のセンタ（図示しない）に接続される通信インタフェース２２ｉを有する。
【００１４】
また、搬送路３２の末端部は正常スタッカ３５、異常スタッカ３６に分岐している。正常スタッカ３５には認識が正常終了した払込票が蓄積され、異常スタッカ３６には認識が異常終了した払込票が蓄積される。
【００１５】
図２を参照して払込票について説明する。払込票５１は２つの部分により構成されている。一方（左側部分）を払込取扱票５２といい、他方（右側部分）の半券部分を払込票兼領収書５３という。
【００１６】
払込取扱票５２の左肩部分には、帳票ＩＤ５０が数値で印刷されている。一般帳票であれば帳票ＩＤ５０＝“０２”等であり、一般帳票であれば帳票ＩＤ５０＝“０３”等である。ここで、ＭＴ帳票とは、後述する払込先の口座番号５４、６１、払込み金額５５、６２が予め印刷されている帳票を意味する。このようなＭＴ帳票の場合にはＯＣＲ認識による誤読率はきわめて少ない。
【００１７】
また、払込取扱票５２には、払込情報として払込先の口座番号５４、払込み金額５５、払込先の氏名としての加入者名５６のほか、利用者の住所、氏名、電話番号が記載される依頼人欄５７が設けられている。
【００１８】
また、払込票兼領収書５３には、払込情報として払込取扱票５２と同様に、通常プレ印刷されている払込先の口座番号６１、払込み金額６２、払込先の氏名としての加入者名６３のほか、利用者の住所、氏名、電話番号が記載される依頼人欄６４が設けられている。
【００１９】
図３は帳票ＩＤ５０＝３、つまりＭＴ帳票の払込票５１の平面図である。図３において、図２と同じ部分には同一番号を付し、その詳細な説明については省略する。６６はＩＤ番号である。
【００２０】
次に、上記のように構成された本発明の第１の実施の形態の動作について図４のフローチャートを参照しながら説明する。まず、利用者が郵便局の窓口に払込票５１を払込金と共に提出する。これに応答して、郵便局員は払込票５１及び払込金を受け取る。
【００２１】
そして、この払込票５１はホッパ３１にセットされる。
【００２２】
ホッパ３１にセットされた払込票５１は１枚ずつ給紙される（ステップＳ１）。そして、払込票５１は搬送路３２を介して搬送され、イメージ読取部３３において払込票５１のイメージデータが取得される（ステップＳ２）。
【００２３】
次に、払込取扱票５２に記載されている口座番号５４、払込み金額５５及び帳票ＩＤ５０のイメージデータ及び払込票兼領収書５３の口座番号６１及び払込み金額６２のイメージデータが抽出されてＯＣＲ認識される（ステップＳ３）。
【００２４】
そして、ＯＣＲ認識された帳票ＩＤ５０がＭＴＩＤ（つまり“０３”）であるかが判定される（ステップＳ４）。
【００２５】
このステップＳ４の判定で「ＮＯ」と判定された場合、つまり払込票５１が一般帳票であると判定された場合には、ステップＳ２で取得された払込票５１全体のイメージ及びステップＳ３で認識された認識結果が表示部２３に表示される（ステップＳ５）。
【００２６】
一方、ステップＳ４の判定で「ＹＥＳ」と判定された場合、つまり払込票５１がＭＴ帳票であると判定された場合には、ステップＳ２で取得された払込票５１全体のイメージを表示部２３に表示させないで、ステップＳ３で認識したＯＣＲ認識結果のみが表示部２３に表示される（ステップＳ６）。
【００２７】
このように払込票５１がＭＴ帳票である場合には、ＯＣＲ認識による誤認識の発生は極少ないため、払込票５１の全体イメージは表示部２３に表示させないようにすることにより、処理時間を短縮することができる。
【００２８】
次に、表示部２３に表示されたＯＣＲ認識結果に誤認識があるか否か判定される（ステップＳ７）。
【００２９】
このステップＳ７の判定で「ＹＥＳ」、つまり誤認識があると判定されると、局員がキー入力部２５から入力したデータに基づいてＯＣＲ認識結果を修正する処理がなされる（ステップＳ８）。
【００３０】
そして、局員がキー入力部２５の確認キーを操作により、ステップＳ８で入力された認識結果を修正する処理内容が確定される（ステップＳ９）。
【００３１】
次に、払込取扱票５２の空白部分５２ａ及び払込票兼領収書５３の空白部分５３ａに認識した払込金額等の所定事項が印字部３４において印字される（ステップＳ１０）。
【００３２】
そして、搬送路３２を介して正常スタッカ３５に排紙される（ステップＳ１１）。
【００３３】
次に、ホッパ３１に次の帳票がセットされているかが判定される（ステップＳ１２）。このステップＳ１２の判定で「ＹＥＳ」と判定されている場合には前述したステップＳ１以降の処理が同様に行われる。
【００３４】
以上のようにこの第１の実施の形態においては、取り扱う払込票５１がＭＴ帳票である場合には、ＯＣＲ認識による誤認識の発生は極少ないため、払込票５１の全体イメージは表示部２３に表示させないようにすることにより、処理時間を短縮することができる。
【００３５】
次に、本発明の第２の実施の形態について図５のフローチャートを参照しながら説明する。まず、利用者が郵便局の窓口に払込票５１を払込金と共に提出する。これに応答して、郵便局員は払込票５１及び払込金を受け取る。
【００３６】
そして、この払込票５１はホッパ３１にセットされる。
【００３７】
ホッパ３１にセットされた払込票５１は１枚ずつ給紙される（ステップＳ２１）。そして、ホッパ３１は搬送路３２を介して搬送され、イメージ読取部３３において払込票５１のイメージデータが取得される（ステップＳ２２）。
【００３８】
次に、払込取扱票５２に記載されている口座番号５４、払込み金額５５及び帳票ＩＤ５０のイメージデータ及び払込票兼領収書５３の口座番号６１及び払込み金額６２のイメージデータが抽出されてＯＣＲ認識される（ステップＳ２３）。
【００３９】
そして、ＯＣＲ認識された帳票ＩＤ５０がＭＴＩＤ（つまり“０３”）であるかが判定される（ステップＳ２４）。
【００４０】
このステップＳ２４の判定で「ＮＯ」と判定された場合、つまり払込票５１が一般帳票であると判定された場合には、ステップＳ２２で取得された払込票５１全体のイメージ及びステップＳ２３で認識された認識結果が表示部２３に表示される（ステップＳ２５）。
【００４１】
次に、表示部２３に表示されたＯＣＲ認識結果に誤認識があるか否か判定される（ステップＳ２６）。
【００４２】
このステップＳ２６の判定で「ＹＥＳ」、つまり誤認識があると判定されると、局員がキー入力部２５から入力したデータに基づいてＯＣＲ認識結果を修正する処理がなされる（ステップＳ２７）。
【００４３】
そして、局員がキー入力部２５の確認キーを操作により、ステップＳ２７で入力された認識結果を修正する処理内容が確定される（ステップＳ２８）。
【００４４】
次に、払込取扱票５２の空白部分５２ａ及び払込票兼領収書５３の余白部分５３ａに認識した払込金額等の所定事項が印字部３４において印字される（ステップＳ２９）。
【００４５】
そして、搬送路３２を介して正常スタッカ３５に排紙される（ステップＳ３０）。
【００４６】
次に、ホッパ３１に次の帳票がセットされているかが判定される（ステップＳ３１）。このステップＳ３１の判定で「ＹＥＳ」と判定されている場合には前述したステップＳ２１以降の処理が同様に行われる。なお、上記したステップＳ２６の判定で「ＮＯ」と判定された場合には上記ステップＳ２８の処理に進む。
【００４７】
一方、ステップＳ２４の判定で「ＹＥＳ」と判定された場合、つまり払込票５１がＭＴ帳票であると判定された場合には、ステップＳ２２で取得された払込票５１全体のイメージ及びステップＳ２３で認識したＯＣＲ認識結果が表示部２３に表示される（ステップＳ３２）。
【００４８】
次に、表示部２３に表示されたＯＣＲ認識結果に誤認識があるか否か判定される（ステップＳ３３）。
【００４９】
このステップＳ３３の判定で「ＹＥＳ」、つまり誤認識があると判定されると、局員がキー入力部２５から入力したデータに基づいてＯＣＲ認識結果を修正する処理がなされる（ステップＳ３４）。
【００５０】
そして、局員がキー入力部２５の確認キーを操作により、ステップＳ８で入力された認識結果を修正する処理内容が確定される（ステップＳ３５）。
【００５１】
以下、前述したステップＳ２９以降の処理に進む。
【００５２】
一方、ステップＳ３３の判定で「ＮＯ」、つまり誤認識がないと判定された場合、払込取扱票５２の空白部分５２ａ及び払込票兼領収書５３の空白部分５３ａに認識した払込金額等の所定事項が印字部３４において印字される（ステップＳ３６）。
【００５３】
そして、搬送路３２を介して正常スタッカ３５に排紙される（ステップＳ３７）。
【００５４】
そして、ホッパ３１に次の帳票がセットされているかが判定される（ステップＳ３８）。
【００５５】
このステップＳ３８の判定で「ＹＥＳ」と判定された場合には、一定時間表示部２３に払込票５１全体のイメージ及びＯＣＲ認識結果が表示された後に自動的に画面の切り替えが行われる（ステップＳ３９）。その後、前述したステップＳ２１の処理に戻る。
【００５６】
このように、払込票５１がＭＴ帳票であり、ＯＣＲ結果に誤認識がなければ、表示部２３の表示が一定時間後に切り替えるようにしたので、局員は特にキー入力部２５から確認キーを押し下げる必要はない。従って、ＭＴ帳票が連続する場合には、特に処理時間を短縮することができる。
【００５７】
このステップＳ３８の判定で「ＮＯ」と判定された場合には、一連の処理は終了する。
【００５８】
次に、本発明の第３の実施の形態について図６のフローチャートを参照して説明する。図６のフローチャートにおいて、図４と同一部分には同一ステップ番号を付し、その詳細な説明については省略する。この第３の実施の形態は、
払込票５１が一般帳票かＭＴ帳票かで表示部２３に表示されるイメージ表示内容を異ならせている。
【００５９】
つまり、ＯＣＲ認識された帳票ＩＤ５０がＭＴＩＤ（つまり“０３”）であるかが判定される（ステップＳ４）。
【００６０】
そして、このステップＳ４の判定で「ＮＯ」と判定された場合、つまり払込票５１が一般帳票であると判定された場合には、ステップＳ２で取得された払込票５１全体のイメージ及びステップＳ３で認識された認識結果が表示部２３に表示される（ステップＳ４１）。
【００６１】
一方、ステップＳ４の判定で「ＹＥＳ」と判定された場合、つまり払込票５１がＭＴ帳票であると判定された場合には、払込票５１の左側部分、つまり払込取扱票５２のイメージ及びステップＳ３で認識された認識結果が表示部２３に表示される（ステップＳ４２）。
【００６２】
これ以降の処理は、図４の処理と同じであるので、その詳細な説明については省略する。
【００６３】
以上のようにこの第３の実施の形態においては、取り扱う払込票５１がＭＴ帳票である場合には、ＯＣＲ認識による誤認識の発生は極少ないため、払込票５１の左側部分のみを表示部２３に表示させるようにしたので、処理時間を短縮することができる。
【００６４】
次に、本発明の第４の実施の形態について図７のフローチャートを参照して説明する。まず、利用者が郵便局の窓口に払込票５１を払込金と共に提出する。これに応答して、郵便局員は払込票５１及び払込金を受け取る。
【００６５】
そして、この払込票５１はホッパ３１にセットされる。
【００６６】
ホッパ３１にセットされた払込票５１は１枚ずつ給紙される（ステップＳ５１）。そして、ホッパ３１は搬送路３２を介して搬送され、イメージ読取部３３において払込票５１のイメージデータが取得される（ステップＳ５２）。
【００６７】
次に、払込取扱票５２に記載されている口座番号５４、払込み金額５５及び帳票ＩＤ５０のイメージデータ及び払込票兼領収書５３の口座番号６１及び払込み金額６２のイメージデータが抽出されてＯＣＲ認識される（ステップＳ５３）。
【００６８】
次に、ステップＳ５２で取得されたイメージデータ及びステップＳ５３でのＯＣＲ認識結果は表示部２３に表示される（ステップＳ５４）。
【００６９】
次に、表示部２３に表示されたＯＣＲ認識結果に誤認識があるか否か判定される（ステップＳ５５）。
【００７０】
このステップＳ５５の判定で「ＹＥＳ」、つまり誤認識があると判定されると、局員がキー入力部２５から入力したデータに基づいてＯＣＲ認識結果を修正する処理がなされる（ステップＳ５６）。
【００７１】
そして、局員がキー入力部２５の確認キーを操作により、ステップＳ５６で入力された認識結果を修正する処理内容が確定される（ステップＳ５７）。
【００７２】
次に、ＯＣＲ認識された帳票ＩＤ５０がＭＴＩＤ（つまり“０３”）であるかが判定される（ステップＳ５８）。なお、上記したステップＳ５５の判定で「ＮＯ」と判定された場合には上記ステップＳ５７の処理に進む。
【００７３】
このステップＳ５８の判定で「ＮＯ」と判定された場合、つまり払込票５１が一般帳票であると判定された場合には、ステップＳ５２で取得された払込票５１全体のイメージ及びステップＳ５３で認識された認識結果が記憶部２２ｍに記憶されると共に、上位のセンタに通信インタフェース２２ｉを介して送信される（ステップＳ５９）。このセンタにおいて帳票の集計処理がなされる。
【００７４】
一方、ステップＳ５８の判定で「ＹＥＳ」と判定された場合、つまり払込票５１がＭＴ帳票であると判定された場合には、ステップＳ５２で取得された払込票５１左側部分（つまり、払込取扱票５２）のイメージ及びステップＳ５３で認識された認識結果が記憶部２２ｍに記憶されると共に、上位のセンタに通信インタフェース２２ｉを介して送信される（ステップＳ６０）。
【００７５】
次に、払込取扱票５２の空白部分５２ａ及び払込票兼領収書５３の空白部分５３ａに認識した払込金額等の所定事項が印字部３４において印字される（ステップＳ６１）。
【００７６】
そして、搬送路３２を介して正常スタッカ３５に排紙される（ステップＳ１２）。
【００７７】
次に、ホッパ３１に次の帳票がセットされているかが判定される（ステップＳ６３）。このステップＳ６３の判定で「ＹＥＳ」と判定されている場合には前述したステップＳ５１以降の処理が同様に行われる。
【００７８】
以上のようにこの第４の実施の形態においては、取り扱う払込票５１がＭＴ帳票である場合には、ＯＣＲ認識による誤認識の発生は極少ないため、払込票５１の左側部分のみのイメージ及びＯＣＲ認識結果を上位のセンタに送信するようにしたので、処理時間を短縮することができる。
【００７９】
次に、本発明の第５の実施の形態について図８のフローチャートを参照して説明する。まず、利用者が郵便局の窓口に払込票５１を払込金と共に提出する。これに応答して、郵便局員は払込票５１及び払込金を受け取る。
【００８０】
そして、この払込票５１はホッパ３１にセットされる。
【００８１】
ホッパ３１にセットされた払込票５１は１枚ずつ給紙される（ステップＳ７１）。そして、ホッパ３１は搬送路３２を介して搬送され、イメージ読取部３３において帳票ＩＤ５０部のイメージデータが取得される（ステップＳ７２）。
【００８２】
そして、帳票ＩＤ５０部がＯＣＲ認識される（ステップＳ７３）。
【００８３】
次に、ＯＣＲ認識された帳票ＩＤ５０がＭＴＩＤ（つまり“０３”）であるかが判定される（ステップＳ７４）。
【００８４】
このステップＳ７４の判定で「ＮＯ」と判定された場合、つまり払込票５１が一般帳票であると判定された場合には、払込取扱票５２に記載されている口座番号５４、払込み金額５５のイメージが取得される（ステップＳ７５）。さらに、イメージデータから払込情報としての口座番号５４、払込み金額５５がＯＣＲ認識される（ステップＳ７６）。
【００８５】
一方、ステップＳ７４の判定で「ＹＥＳ」と判定された場合、つまり払込票５１がＭＴ帳票であると判定された場合には、払込取扱票５２に記載されている口座番号５４、払込み金額５５のイメージが取得される（ステップＳ７７）。さらに、イメージデータから払込情報としての口座番号５４、払込み金額５５がＯＣＲ認識される（ステップＳ７８）。
【００８６】
次に、表示部２３に表示されたＯＣＲ認識結果に誤認識があるか否か判定される（ステップＳ７９）。
【００８７】
このステップＳ７９の判定で「ＹＥＳ」、つまり誤認識があると判定されると、局員がキー入力部２５から入力したデータに基づいてＯＣＲ認識結果を修正する処理がなされる（ステップＳ８０）。
【００８８】
そして、局員がキー入力部２５の確認キーを操作により、ステップＳ８０で入力された認識結果を修正する処理内容が確定される（ステップＳ８１）。
【００８９】
次に、払込取扱票５２の空白部分５２ａ及び払込票兼領収書５３の空白部分５３ａに認識した払込金額等の所定事項が印字部３４において印字される（ステップＳ８２）。
【００９０】
そして、搬送路３２を介して正常スタッカ３５に排紙される（ステップＳ８３）。
【００９１】
次に、ホッパ３１に次の帳票がセットされているかが判定される（ステップＳ８４）。このステップＳ８４の判定で「ＹＥＳ」と判定されている場合には前述したステップＳ１以降の処理が同様に行われる。なお、上記ステップＳ７９の判定で「ＮＯ」と判定された場合には、上記ステップＳ８１の処理に進む。
【００９２】
以上のようにこの第５の実施の形態においては、まず取り扱う払込票５１がＭＴ帳票であるか一般帳票であるかを、ＭＴ帳票部のイメージデータを抽出して認識しているので、その以降の処理を帳票の種別により振り分けることにより、処理時間を短縮することができる。
【００９３】
次に、本発明の第６の実施の形態について図９及び図１０のフローチャートを参照して説明する。この図９のフローチャートの処理は窓口処理に行われていること以外、フローチャートの処理は図８のフローチャートの処理内容と同じであるので、その詳細な説明については省略する。
【００９４】
つまり、窓口処理において図９のフローチャートの処理が終了してから、図１０のフローチャートに示した後方処理がなされる。
【００９５】
つまり、図１０において、帳票全体のイメージを取得する処理がなされる（ステップＳ９１）。次に、次の帳票があるかが判定される（ステップＳ９２）。
【００９６】
このステップＳ９２の判定で「ＹＥＳ」と判定された場合には、次の帳票の全体のイメージが取得される（ステップＳ９１）。
【００９７】
このステップＳ９２の判定で「ＮＯ」と判定された場合には、一連の処理が終了される。
【００９８】
以上のように本発明の第６の実施の形態によれば、帳票全体のイメージを取得する処理を後方処理で行うようにしたので、窓口処理での処理時間の短縮を計ることができる。
【００９９】
なお、上記したいずれの実施の形態においても、払込票５１のイメージデータを取り込むイメージ読取部３３で取得してＯＣＲ認識するようにしていたが、払込票５１にバーコードが印刷されている場合にはバーコード認識する手段を設けておいても良い。
【０１００】
さらに、上記実施の形態にかぎらず、図１１に示すようなシステムにおいて帳票端末装置２１が使用された場合でも、帳票端末装置２１の処理時間を同様に短縮することができる。
【０１０１】
図１１において、１１は郵便局、銀行等の金融機関において、局員の脇に置かれる窓口端末機である。局員が帳票としての払込票と預かり金を受け取ると、預かり金と払込金額または預かり金と払込金額と払込先口座番号が窓口端末機１１に入力される。
【０１０２】
つまり、窓口端末機１１はキー入力部１２、表示部１３を有する。１４は後述する確認票が発行される発行口である。
【０１０３】
この窓口端末機１１にはケーブル１５を介して図１に示した帳票端末装置２１が接続される。図７のシステムにおいては、郵便局員は払込票５１及び払込金を受け取る。そして、郵便局員は払込票５１を見て、窓口端末機１１のキー入力部１２から払込先口座番号、払込金額及び預り金を入力する。このようにして入力されたデータはＲＡＭ（図示しない）に保存される。キー入力部１２から入力された払込先口座番号、払込金額及び預り金等のデータは履歴データとしてＲＡＭ（図示しない）に保存される。次に、確認票が印刷される。この確認票には預り金、手数料、釣銭等が印刷されている。
【０１０４】
次に、郵便局員は半券部分である払込票兼領収書５３を払込取扱票５２から切り離して、日付印を押印する。そして、印字部４４により確認票が印刷されて、発行口１４から発行され、払込票兼領収書５３、釣銭と共に利用者に返却される。また、払込取扱票５２は郵便局員により一時保管される。以上のようにして、郵便局の窓口処理がなされ、局員が払込票５１に対する処理が進むにつれて一時保管される払込取扱票５２は蓄積される。
【０１０５】
そして、後方処理において、その蓄積された払込取扱票５２はホッパ３１にセットされる。以降の動作は各実施の形態と同じであるので省略する。
【０１０６】
なお、上記したいずれの実施の形態においても、払込票５１のイメージデータを取り込むイメージ読取部３３で取得してＯＣＲ認識するようにしていたが、払込票５１にバーコードが印刷されている場合にはバーコード認識する手段を設けておいても良い。
【０１０７】
【発明の効果】
以上詳述したように本発明によれば、帳票の種類に応じて処理時間を短縮することができる帳票処理装置を提供することができる。
【図面の簡単な説明】
【図１】本発明の第１乃至第６の実施の形態に共通な構成を示す帳票端末装置のブロック図。
【図２】同実施の形態に係わる払込票の平面図。
【図３】同実施の形態に係わる払込票の平面図。
【図４】本発明の第１の実施の形態の動作を説明するためのフローチャート。
【図５】本発明の第２の実施の形態の動作を説明するためのフローチャート。
【図６】本発明の第３の実施の形態の動作を説明するためのフローチャート。
【図７】本発明の第４の実施の形態の動作を説明するためのフローチャート。
【図８】本発明の第５の実施の形態の動作を説明するためのフローチャート。
【図９】本発明の第６の実施の形態の動作を説明するためのフローチャート。
【図１０】本発明の第６の実施の形態の動作を説明するためのフローチャート。
【図１１】本発明の応用例を説明するためのシステム構成を示す図。
【符号の説明】
２１…帳票端末装置、２２…制御部、２２ｍ…記憶部、２４…本体、３１…ホッパ、３２…搬送路、３３…イメージ読取部、３４…印字部。
【図１】
2004280251.tif 000003
【図２】
2004280251.tif 000004
【図３】
2004280251.tif 000005
【図４】
2004280251.tif 000006
【図５】
2004280251.tif 000007
【図６】
2004280251.tif 000008
【図７】
2004280251.tif 000009
【図８】
2004280251.tif 000010
【図９】
2004280251.tif 000011
【図１０】
2004280251.tif 000012
【図１１】
2004280251.tif 000013